(57)【要約】【課題】表面地または裏面地のどの方向に対しても滑り難く、また、表面地と裏面地とを綴じたり、内部に間仕切を設けたりしなくても充填材が偏らず、更に、座部の通気性が良好な藺草筵を使用した座布団及びその製造方法を提供する。更にまた、斬新な外観形状を有し、デザインによって消費者の購買意識を喚起する効果が期待できる藺草筵を使用した座布団及びその製造方法を提供する。【解決手段】座布団Ｚは、地構成体１０ａ〜１０ｄと地構成体１１ａ〜１１ｄを直交するように縦横にし、重なり合う部分の四隅に通気部４が形成されるように織ることで座部１が形成してある。座部１の縁部には縁布２が設けられている。各地構成体は、藺草の方向が長さ方向を向くように織られた所要幅の筵を長さ方向に折り曲げ線ができるように幅方向に折り曲げ、内部に充填材３を充填して形成してある。【選択図】　　　　図１
2004008355.tif 000002
【特許請求の範囲】
【請求項１】
藺草を含んで織られた筵で座部の表面地または／及び裏面地を形成した座布団であって、
上記表面地または／及び裏面地は、所要幅の筵を重ね合わせて、当該筵の間に充填材を詰めてつくられた地構成体を縦横に織って形成されていることを特徴とする、
藺草筵を使用した座布団。
【請求項２】
地構成体は、重なり部の周りに、表側から裏側にかけて貫通した通気部が形成されるように織られていることを特徴とする、
請求項１記載の藺草筵を使用した座布団。
【請求項３】
表面地または／及び裏面地を形成する筵は、縦方向に織られるものと横方向に織られるものとで、当該藺草の方向が交差していることを特徴とする、
請求項１または２記載の藺草筵を使用した座布団。
【請求項４】
座部の表面地または／及び裏面地が藺草を含んで織られた筵で形成してある座布団の製造方法であって、
藺草を含んで織られた所要幅の筵を重ね合わせて、当該筵の間に充填材を詰めた地構成体を形成するステップ、
上記地構成体を縦横に織って表面地または／及び裏面地を形成するステップ、を含むことを特徴とする、
藺草筵を使用した座布団の製造方法。
【発明の詳細な説明】
【０００１】
【発明の属する技術分野】
本発明は藺草筵を使用した座布団及びその製造方法に関する。
更に詳しくは、表面地または裏面地のどの方向に対しても滑り難さを備えたものに関する。また、表面地と裏面地とを綴じたり、内部に間仕切を設けたりしなくても充填材が偏らないようにしたものに関する。更に、座部の通気性を良好にしたものに関する。更にまた、斬新な外観形状を有し、デザインによって消費者の購買意識を喚起する効果が期待できるようにしたものに関する。
【０００２】
【従来技術】
従来より、藺草製の筵を表面地と裏面地に使用した座布団が広く知られている。この座布団は、略正方形状に裁断した二枚の筵を重ね合わせ、その間にクッション性を有する充填材を充填し、周縁部を縁布で閉じて形成したものが主流である。
【０００３】
【発明が解決しようとする課題】
しかし、上記した藺草製の筵を使用した座布団には、次のような課題があった。
上記した座布団は、表面地と裏面地がそれぞれ一枚物の筵でつくられており、各筵では、全面にわたって藺草が同じ向きを有するようになっている。従って、藺草の方向と交差する方向には藺草自体が抵抗となって滑り難いが、反対に藺草の方向に沿う方向に対しては、摩擦抵抗が低減するので滑り易いという課題があった。
【０００４】
また、充填材は、表面地と裏面地の間にて、当初は略全体にわたって均等なクッション性を有するように詰められているが、所要間隔ごとに表面地と裏面地とを綴じたり、内部に間仕切を設けたりしていないものでは、使用の仕方によって内部で移動して詰め具合に偏りができることがあった。
【０００５】
更に、従来の座布団は、座部に表側から裏側にかけて空気を通すような通気部がなかったので、例えば、長時間座り続けた場合では、湿気が充填材に溜まり、蒸れて座り心地が悪くなることがあった。
【０００６】
更にまた、座布団は、上記したように略正方形状に裁断した二枚の筵を重ね合わせて、表面地と裏面地を形成した形態を有するものが主流であったので、どの座布団をとっても外観形状がありきたりで変わり映えしないものであった。そのため、デザインによって消費者の購買意欲を喚起する効果は期待できなかった。
【０００７】
本発明の目的は、表面地または裏面地のどの方向に対しても滑り難いようにする、藺草筵を使用した座布団及びその製造方法を提供することにある。
また、本発明の他の目的は、表面地と裏面地とを綴じたり、内部に間仕切を設けたりしなくても充填材の偏りが防止できる、藺草筵を使用した座布団及びその製造方法を提供することにある。
更に、本発明の他の目的は、座部の通気性が良好な、藺草筵を使用した座布団及びその製造方法を提供することにある。
更にまた、本発明の他の目的は、斬新な外観形状を有し、デザインによって消費者の購買意識を喚起する効果が期待できる、藺草筵を使用した座布団及びその製造方法を提供することにある。
【０００８】
【課題を解決するための手段】
上記目的を達成するために講じた本発明の手段は次のとおりである。
第１の発明にあっては、
藺草を含んで織られた筵で座部の表面地または／及び裏面地を形成した座布団であって、
上記表面地または／及び裏面地は、所要幅の筵を重ね合わせて、当該筵の間に充填材を詰めてつくられた地構成体を縦横に織って形成されていることを特徴とする、
藺草筵を使用した座布団である。
【０００９】
第２の発明にあっては、
地構成体は、重なり部の周りに、表側から裏側にかけて貫通した通気部が形成されるように織られていることを特徴とする、
第１の発明に係る藺草筵を使用した座布団である。
【００１０】
第３の発明にあっては、
表面地または／及び裏面地を形成する筵は、縦方向に織られるものと横方向に織られるものとで、当該藺草の方向が交差していることを特徴とする、
第１または第２の発明に係る藺草筵を使用した座布団である。
【００１１】
第４の発明にあっては、
座部の表面地または／及び裏面地が藺草を含んで織られた筵で形成してある座布団の製造方法であって、
藺草を含んで織られた所要幅の筵を重ね合わせて、当該筵の間に充填材を詰めた地構成体を形成するステップ、
上記地構成体を縦横に織って表面地または／及び裏面地を形成するステップ、を含むことを特徴とする、
藺草筵を使用した座布団の製造方法である。
【００１２】
本明細書でいう「藺草筵」という用語は、藺草を主原料としてつくられた筵を示す概念であり、藺草のみで形成されたものは勿論、例えば、藺草と共に、がま、わら、竹、綿、麻、絹、毛等の天然繊維、ポリエステル、ナイロン、アクリル、レーヨン等の化学繊維等を使用してつくられたものも含む概念として使用している。
また、藺草筵は、柔軟性、可撓性または可曲性を有している。
【００１３】
本明細書で「表面地」という用語は、「座部の表面を形成する地」という概念で使用しており、また、「裏面地」という用語は、「座部の裏面を形成する地」で概念として使用している。
【００１４】
本明細書でいう「充填材」は、特に限定するものではなく、例えば、パンヤ、カポック、不織布、木綿綿、ポリプロピレン製の綿、ポリウレタン等の合成樹脂製スポンジ等を使用することができる。
【００１５】
「表面地または／及び裏面地」という用語は、「表面地または裏面地」という意味と、「表面地及び裏面地」という意味を含む概念として使用している。
【００１６】
（作　用）
従来の座布団は、表面地と裏面地が一枚物の筵でつくられており、外観が変わり映えしないものが多かったが、本発明に係る座布団は、座部の表面地または裏面地、もしくは表面地及び裏面地が、所要幅の筵を重ね合わせて、当該筵の間に充填材を詰めてつくられた地構成体を縦横に織って形成されているので、従来の座布団と比べて斬新な外観形状を有している。従って、デザインによって消費者の購買意欲を喚起する効果が期待できる。
【００１７】
また、座部の表面地または裏面地、もしくは表面地及び裏面地が、地構成体を縦横に織って形成されているので、充填材が縦横の地構成体内のそれぞれに充填してあり、座部の全体から見れば、各地構成体を形成する筵が間仕切の役目を果たしているようになる。従って、本発明に係る座布団では、所要間隔ごとに表面地と裏面地とを綴じたり、新たに内部に間仕切を設けたりしなくても、使用によって充填材が移動して偏ることが防止できる。
【００１８】
重なり部の周りに表側から裏側にかけて貫通した通気部が形成されるように地構成体が織られているものは、例えば、長時間座り続けた場合でも、内部に溜まる湿気が通気部より外部に排出され易いので、座り心地が悪くなり難い。
【００１９】
表面地または裏面地、もしくは表面地及び裏面地を形成する筵が、縦方向に織られるものと横方向に織られるものとで、藺草の方向が交差しているものは、表面地と裏面地において、どの方向に対しても滑り難い。
【００２０】
【発明の実施の形態】
本発明の実施の形態を図面に基づき更に詳細に説明する。
図１は本発明に係る藺草筵を使用した座布団の一実施の形態を示す斜視説明図、
図２は図１に示す座布団の平面図、
図３は図２に示す座布団のＡ−Ａ端面図である。
符号Ｚは藺草筵を使用した座布団を示している。座布団Ｚは、座部１と、その周縁部に設けられた縁布２を備えている。
【００２１】
座部１は、所要長さを有する地構成体１０ａ，１０ｂ，１０ｃ，１０ｄと、地構成体１１ａ，１１ｂ，１１ｃ，１１ｄを直交するように縦横に織ることで形成してある。各地構成体は、藺草の方向が長さ方向を向くように織られた所要幅の筵を備えている。各地構成体は、この筵を長さ方向に折り曲げ線ができるように幅方向に折り曲げ、内部にクッション性を有する充填材３を充填し、この充填材３が外部に出ないように重なった筵の縁部を縫い合わせて形成してある。これら地構成体１０ａ，１０ｂ，１０ｃ，１０ｄと、地構成体１１ａ，１１ｂ，１１ｃ，１１ｄは、略同じ形状を有しており、長さが座部１の一辺の長さと同じになる。本実施の形態で筵の内部に設けられる充填材３は、発泡ポリウレタンフォームを使用したが、充填材はこれに限定するものではない。また、充填材３は、筵内の全長にわたってクッション性が略均等になるように詰めてある。
【００２２】
座部１は、地構成体１０ａ，１０ｂ，１０ｃ，１０ｄを順に並設し、これに直交するように地構成体１１ａ，１１ｂ，１１ｃ，１１ｄを順に並設して、縦横に織物を織るように設けることで形成してある。このとき地構成体１０ａ，１０ｂ，１０ｃ，１０ｄと、地構成体１１ａ，１１ｂ，１１ｃ，１１ｄは、それぞれ並設した間に若干の隙間が形成されるようにしてある。これにより地構成体１０と地構成体１１が重なり合う部分の四隅には、表側から裏側にかけて貫通した通気部４が形成される。
【００２３】
座部１を形成する地構成体１０ａ、１０ｄと地構成体１１ａ、１１ｄは、縁部を縫い合わせた縫い目が外側に位置するように設けてある。この地構成体１０ａ、１０ｄと地構成体１１ａ、１１ｄの縫い目は、周縁部に設けられた縁布２で覆われて隠されている。
座布団Ｚでは、こうして地構成体１０ａ，１０ｂ，１０ｃ，１０ｄと、地構成体１１ａ，１１ｂ，１１ｃ，１１ｄによって表面地と裏面地が形成されている。
【００２４】
（作　用）
図１ないし図３を参照して本実施の形態で示す座布団Ｚの作用を説明する。
座布団Ｚは、共に藺草の方向が長さ方向を向く地構成体１０と地構成体１１を縦横に織って座部１が形成してある。従って、表面地と裏面地は、地構成体１０ａ，１０ｂ，１０ｃ，１０ｄと、地構成体１１ａ，１１ｂ，１１ｃ，１１ｄとで、藺草の方向が交差した状態で形成されている。つまり、座布団Ｚは、表面地と裏面地において、どの方向に対しても滑り難い。
【００２５】
座部１に設けられる充填材３は、それぞれの地構成体１０と地構成体１１内に充填してあるので、座部１の全体から見れば、この地構成体１０と地構成体１１を形成する筵が間仕切の役目を果たしている。従って、座布団Ｚでは、所要間隔ごとに表面地と裏面地とを綴じたり、新たに内部に間仕切を設けたりしなくても、使用によって充填材が移動して偏ることが防止できる。
【００２６】
座布団Ｚには、地構成体１０ａ，１０ｂ，１０ｃ，１０ｄと、地構成体１１ａ，１１ｂ，１１ｃ，１１ｄの織り方により、地構成体１０と地構成体１１が重なり合う部分の四隅に通気部４が形成されている。これにより座布団Ｚは、例えば、長時間座り続けた場合でも、内部に溜まる湿気が通気部４より外部に排出され易いので、座り心地が悪くなり難い。
【００２７】
また、座布団Ｚは、地構成体１０ａ，１０ｂ，１０ｃ，１０ｄと、地構成体１１ａ，１１ｂ，１１ｃ，１１ｄを縦横に織って座部１が形成してあり、通気部の周りの表地面や裏地面が膨らんで湾曲してあるので、相対的に通気部が表面からやや凹んだ位置に形成されている。このため座部に座った場合でも通気部は塞がれ難い。
【００２８】
座布団Ｚは、表面地と裏面地が一枚物の筵でつくられたものではなく、地構成体１０と地構成体１１とが交互に表面または裏面に表れるように形成してあるので、従来の座布団と比べて斬新な外観形状を有している。従来の座布団は、表面地と裏面地が一枚物の筵でつくられており、外観が変わり映えしないものが多かったので、座布団Ｚはデザインによって消費者の購買意欲を喚起する効果が期待できる。
【００２９】
本実施の形態で示す地構成体１０と地構成体１１は、同じ形状のものを使用したが、これは限定するものではなく、例えば、地構成体１０と地構成体１１は、長さ方向や幅方向の長さが異なるものを使用することもできる。
【００３０】
本実施の形態で地構成体１０と地構成体１１は、全長にわたって略均等なクッション性を有するように充填材を充填したが、これは限定するものではなく、例えば、地構成体１０や地構成体１１は、端側と内側とでクッション性が異なるように充填材を詰めることもできる。これにより例えば、座部の内側が堅く、外側につれて柔らかくなるようにでき、内側と外側とに段差を設けて座り心地に変化を持たせたりすることができる。この場合では、内側の堅い部分に腰を下ろして、足を前方の柔らかい部分に載せて座ることで、腰の位置より足が低くでき、楽な姿勢で座ることができる。
【００３１】
地構成体１０と地構成体１１は、同じ材質の充填材を充填したが、これも限定するものではなく、地構成体１０と地構成体１１、地構成体１０（１１）と隣接する地構成体１０（１１）、地構成体１０（１１）の端側と内側等、で材質の異なる充填材を使用することもできる。このようにして座り心地に変化を持たせることもできる。
また、地構成体１０や地構成体１１は、二種類以上の充填材を混合してできたものを充填して形成することもできる。
【００３２】
更に、地構成体１０と地構成体１１は、色彩の異なる筵を使用して形成することもできる。この場合では図４に示すように座部１に、地構成体１０と地構成体１１を縦横に織ることによる柄を形成することができる。
【００３３】
地構成体１０と地構成体１１の内部には、充填材と共に、例えば、木炭や竹炭等の粉や粒を入れることもできる。この場合では、木炭や竹炭等による消臭効果や調湿効果を得ることができる。
【００３４】
本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形態様が可能であるということは言うまでもない。
【００３５】
【発明の効果】
本発明は上記構成を備え、次の効果を有する。
（ａ）本発明では、座部の表面地または裏面地、もしくは表面地及び裏面地が、所要幅の筵を縦横に織って形成されているので、または、座部の表面地または裏面地、もしくは表面地及び裏面地が、所要幅の筵を重ね合わせて、当該筵の間に充填材を詰めてつくられた地構成体を縦横に織って形成されているので、従来の座布団と比べて斬新な外観形状を有している。従来の座布団は、表面地と裏面地が一枚物の筵でつくられており、外観が変わり映えしないものが多かったので、本発明に係る座布団は、デザインによって消費者の購買意欲を喚起する効果が期待できる。
【００３６】
（ｂ）座部の表面地または裏面地、もしくは表面地及び裏面地が、地構成体を縦横に織って形成されているものは、充填材が縦横の地構成体内のそれぞれに充填してあるので、座部の全体から見れば、各地構成体を形成する筵が間仕切の役目を果たしているようになる。従って、本発明に係る座布団では、所要間隔ごとに表面地と裏面地とを綴じたり、新たに内部に間仕切を設けたりしなくても、使用によって充填材が移動して偏ることが防止できる。
【００３７】
（ｃ）重なり部の周りに表側から裏側にかけて貫通した通気部が形成されるように地構成体が織られているものは、例えば、長時間座り続けた場合でも、内部に溜まる湿気が通気部より外部に排出され易いので、座り心地が悪くなり難い。
【００３８】
（ｄ）表面地または裏面地、もしくは表面地及び裏面地を形成する筵が、縦方向に織られるものと横方向に織られるものとで、藺草の方向が交差しているものは、表面地と裏面地において、どの方向に対しても滑り難い。
【図面の簡単な説明】
【図１】本発明に係る藺草筵を使用した座布団の一実施の形態を示す斜視説明図。
【図２】図１に示す座布団の平面図。
【図３】図２に示す座布団のＡ−Ａ端面図。
【図４】本発明に係る藺草筵を使用した座布団の他の実施の形態を示す斜視説明図。
【符号の説明】
Ｚ　座布団
１　座部
１０ａ，１０ｂ，１０ｃ，１０ｄ　地構成体
１１ａ，１１ｂ，１１ｃ，１１ｄ　地構成体
２　縁布
３　充填材
４　通気部
【図１】
2004008355.tif 000003
【図２】
2004008355.tif 000004
【図３】
2004008355.tif 000005
【図４】
2004008355.tif 000006
【手続補正書】
【提出日】平成14年6月11日(2002.6.11)
【手続補正１】
【補正対象書類名】明細書
【補正対象項目名】００３５
【補正方法】変更
【補正の内容】
【００３５】
【発明の効果】
本発明は上記構成を備え、次の効果を有する。
（ａ）従来の座布団は、表面地と裏面地が一枚物の筵でつくられており、外観が変わり映えしないものが多かったが、本発明に係る座布団は、座部の表面地または裏面地、もしくは表面地及び裏面地が、所要幅の筵を重ね合わせて、当該筵の間に充填材を詰めてつくられた地構成体を縦横に織って形成されているので、従来の座布団と比べて斬新な外観形状を有している。従って、デザインによって消費者の購買意欲を喚起する効果が期待できる。
【手続補正２】
【補正対象書類名】明細書
【補正対象項目名】００３６
【補正方法】変更
【補正の内容】
【００３６】
（ｂ）座部の表面地または裏面地、もしくは表面地及び裏面地が、地構成体を縦横に織って形成されているので、充填材が縦横の地構成体内のそれぞれに充填してあり、座部の全体から見れば、各地構成体を形成する筵が間仕切の役目を果たしているようになる。従って、本発明に係る座布団では、所要間隔ごとに表面地と裏面地とを綴じたり、新たに内部に間仕切を設けたりしなくても、使用によって充填材が移動して偏ることが防止できる。